(57)【特許請求の範囲】
【請求項１】
傾動させて噴射させるチルトバルブを備えたステムに嵌合され内容物の噴射口を上部に備えるノズルと、
エアゾール容器に嵌合され上端部に前記噴射口から噴射される内容物用の開口部を備えるとともに、前方開口部に固定内壁部を備えて前記ノズルの外側を囲むワンタッチキャップと、
このワンタッチキャップに一体に設けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、
このキャップ兼用操作ボタンは、前記ワンタッチキャップの前記開口部の後方から下方に垂下して一体に形成された弾性支持部と、この弾性支持部の下端に水平に一体に形成された固定アーム部と、この固定アーム部と薄肉ヒンジ部を介して垂直に一体に形成され外側部に押圧ボタンを備え噴射使用位置に回動して前記固定内壁部の前方に位置させ前記弾性支持部の弾性変形と協動して前記ノズルのチルト操作を行う回動アーム部とからなり、
前記ノズルと前記ワンタッチキャップとの２部品で構成したことを特徴とするエアゾール容器のキャップ兼用アクチュエータ。
【請求項２】
前記ノズルの下端部後方に引込み部を一体に形成するとともに、前記キャップ兼用操作ボタンの前記弾性支持部の下端にこの引込み部と係合して押圧操作で噴射させる係合部を形成して構成したことを特徴とする請求項１記載のエアゾール容器のキャップ兼用アクチュエータ。
【請求項３】
前記ノズルが嵌合される前記ステムに、押し込んで噴射させるプッシュダウンバルブを設けるとともに、前記ノズルの側方にカムフォロアを突設する一方、前記キャップ兼用操作ボタンの前記固定アーム部にこのカムフォロアに当接して押圧操作で噴射させる押圧カムを形成して構成したことを特徴とする請求項１記載のエアゾール容器のキャップ兼用アクチュエータ。
【請求項４】
傾動させて噴射させるチルトバルブを備えたステムに嵌合され内容物の噴射口を上部に備えるノズルと、
エアゾール容器に嵌合され上端部に前記噴射口から噴射される内容物用の開口部を備えるとともに、前方開口部を備えて前記ノズルの外側を囲むワンタッチキャップと、
このワンタッチキャップに取り付けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、
前記ワンタッチキャップは、前記開口部の前方から下方に垂下して下端が水平なＬ字状に一体に形成されるとともに、Ｌ字状の角部に開口部が形成された弾性支持部と、この弾性支持部に一体に形成され水平に突き出して対向する回動保持部とを備え、
前記キャップ兼用操作ボタンは、前記ワンタッチキャップの前記回動保持部に挟まれて回動可能に保持される保持部と、この保持部の手前にアーム部を介して一体に形成される押圧ボタンと、前記保持部の奥側に一体に形成され前記弾性支持部の前記開口部から突き出して当該弾性支持部の弾性変形と協動して前記ノズルのチルト操作を行う操作部とからなり、
前記ノズルと前記ワンタッチキャップと前記キャップ兼用操作ボタンの３部品で構成したことを特徴とするエアゾール容器のキャップ兼用アクチュエータ。
【請求項５】
前記ノズルが嵌合される前記ステムに、押し込んで噴射させるプッシュダウンバルブを設ける一方、このステムに嵌合される前記ノズルに、傾けて前記プッシュダウンバルブを開閉する傾動支持部を形成して前記エアゾール容器に支持し、前記キャップ兼用操作ボタンで前記ノズルを押圧操作して噴射させることを特徴とする請求項４記載のエアゾール容器のキャップ兼用アクチュエータ。
【請求項６】
前記キャップ兼用操作ボタンを押圧操作で噴射させる噴射使用位置に保持する係止保持部を前記ワンタッチキャップに形成したことを特徴とする請求項１〜５のいずれかに記載のエアゾール容器のキャップ兼用アクチュエータ。
【発明の詳細な説明】
【０００１】
【発明の属する技術分野】
この発明はエアゾール容器のキャップ兼用アクチュエータに関し、ワンタッチキャップに設けた操作ボタンで内容物を噴射するとともに、この操作ボタンで輸送時や未使用時には、誤作動を防止できるようにし、部品点数およびコスト削減を図るようにしたものである。
【０００２】
【従来の技術】
従来から化粧品、殺虫剤、塗料などのエアゾール製品では、内容物と噴射剤とがエアゾール容器に充填されており、ステムに取り付けたアクチュエータを操作することで内容物を噴射剤の圧力で噴射させて使用する。
【０００３】
このようなエアゾール容器の中には、内容物によって円筒状のエアゾール容器の軸方向に噴射させるようにするものがあり、例えばノズルを取り付けたステムを、容器軸方向と直交する横方向に操作する操作ボタンを介して軸方向に押圧する機構を設けたアクチュエータで噴射させるようにしている。
【０００４】
このような操作ボタンを横方向に操作するアクチュエータを備えたエアゾール容器を輸送したり、保管する場合に誤って操作ボタンが押圧されると、内容物が噴射されることから誤操作を防止するため種々の提案がなされており、最も簡単な方法として、アクチュエータ全体を覆うキャップをエアゾール容器のマウンテンカップに取り付けてアクチュエータの操作ができないようにするものがあるが、使用する場合にキャップを外す必要があり、煩わしい。
【０００５】
そこで、使用時に取り外す必要のないワンタッチキャップをエアゾール容器のマウンテンカップに取り付けてノズルの噴射口やアクチュエータの操作ボタンの部分を除く外側を覆い、ストッパを用いてアクチュエータの操作ボタンをワンタッチキャップに固定できるようにし、使用する場合には、ストッパを取り外して噴射するようにしたものがある。
【０００６】
【発明が解決しようとする課題】
ところが、このようなワンタッチキャップとストッパを組み合わせてロック状態にすることで誤操作を防止するものでは、エアゾール容器に取り付ける部品としてノズル、ワンタッチキャップ、操作ボタン、ストッパが少なくとも必要であり、部品点数が多く、組み立てが煩雑となるとともに、コストも高くなるという問題がある。
【０００７】
また、このようなストッパでは、使用時に取り外すとそのまま廃棄したり、紛失することも多く、再度ロック状態にしようとしてもできなくなる場合も多く、取り外したストッパがあっても再度ロック状態にするためには、ストッパを小さな隙間に挿入しなければならず煩雑であるという問題もある。
【０００８】
この発明はかかる従来技術の有する課題を解決するためになされたもので、ワンタッチキャップに設けた操作ボタンで内容物を噴射することができるとともに、この操作ボタンで輸送時や未使用時には、誤作動を防止することができ、部品点数が少なくコスト低減を図ることができるエアゾール容器のキャップ兼用アクチュエータを提供しようとするものである。
【０００９】
【課題を解決するための手段】
上記従来技術の有する課題を解決するため、この発明の請求項１記載のエアゾール容器のキャップ兼用アクチュエータは、傾動させて噴射させるチルトバルブを備えたステムに嵌合され内容物の噴射口を上部に備えるノズルと、エアゾール容器に嵌合され上端部に前記噴射口から噴射される内容物用の開口部を備えるとともに、前方開口部に固定内壁部を備えて前記ノズルの外側を囲むワンタッチキャップと、このワンタッチキャップに一体に設けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、
このキャップ兼用操作ボタンは、前記ワンタッチキャップの前記開口部の後方から下方に垂下して一体に形成された弾性支持部と、この弾性支持部の下端に水平に一体に形成された固定アーム部と、この固定アーム部と薄肉ヒンジ部を介して垂直に一体に形成され外側部に押圧ボタンを備え噴射使用位置に回動して前記固定内壁部の前方に位置させ前記弾性支持部の弾性変形と協動して前記ノズルのチルト操作を行う回動アーム部とからなり、前記ノズルと前記ワンタッチキャップとの２部品で構成したことを特徴とするものである。
【００１０】
このエアゾール容器のキャップ兼用アクチュエータによれば、傾動させて噴射させるチルトバルブを備えたステムに嵌合され内容物の噴射口を上部に備えるノズルと、エアゾール容器に嵌合され上端部に前記噴射口から噴射される内容物用の開口部を備えるとともに、前方開口部に固定内壁部を備えて前記ノズルの外側を囲むワンタッチキャップと、このワンタッチキャップに一体に設けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、このキャップ兼用操作ボタンは、前記ワンタッチキャップの前記開口部の後方から下方に垂下して一体に形成された弾性支持部と、この弾性支持部の下端に水平に一体に形成された固定アーム部と、この固定アーム部と薄肉ヒンジ部を介して垂直に一体に形成され外側部に押圧ボタンを備え噴射使用位置に回動して前記固定内壁部の前方に位置させ前記弾性支持部の弾性変形と協動して前記ノズルのチルト操作を行う回動アーム部とからなり、前記ノズルと前記ワンタッチキャップとの２部品で構成しており、ワンタッチキャップに設けたキャップ兼用操作ボタンでノズル上部の開口部を覆うことで誤使用を防止でき、このキャップ兼用操作ボタンをノズルの側方に回動して押すことでノズルを介して噴射することができる。また、ワンタッチキャップと弾性支持部とキャップ兼用操作ボタンとを一体に形成することで部品点数を削減しコスト低減を図ることができ、弾性支持部と一体の固定アーム部に対して回動アーム部を薄肉ヒンジ部を介して回動させることができ、固定アーム部に直角に位置させた回動アーム部の押圧ボタンで覆って誤使用を防止でき、固定アーム部と直線状に回動アーム部を位置させて弾性支持部を撓ませることで押圧することができるようになる。
【００１１】
また、この発明の請求項２記載のエアゾール容器のキャップ兼用アクチュエータは、請求項１記載の構成に加え、前記ノズルの下端部後方に引込み部を一体に形成するとともに、前記キャップ兼用操作ボタンの前記弾性支持部の下端にこの引込み部と係合して押圧操作で噴射させる係合部を形成して構成したことを特徴とするものである。
【００１２】
このエアゾール容器のキャップ兼用アクチュエータによれば、前記ノズルの下端部後方に引込み部を一体に形成するとともに、前記キャップ兼用操作ボタンの前記弾性支持部の下端にこの引込み部と係合して押圧操作で噴射させる係合部を形成して構成しており、ノズルの下端部後方の引込み部にキャップ兼用操作ボタンの係合部を係合することで、キャップ兼用操作ボタンの押圧操作で噴射させることができるようになる。
【００１３】
さらに、この発明の請求項３記載のエアゾール容器のキャップ兼用アクチュエータは、請求項１記載の構成に加え、前記ノズルが嵌合される前記ステムに、押し込んで噴射させるプッシュダウンバルブを設けるとともに、前記ノズルの側方にカムフォロアを突設する一方、前記キャップ兼用操作ボタンの前記固定アーム部にこのカムフォロアに当接して押圧操作で噴射させる押圧カムを形成して構成したことを特徴とするものである。
【００１４】
このキャップ兼用アクチュエータによれば、前記ノズルが嵌合される前記ステムに、押し込んで噴射させるプッシュダウンバルブを設けるとともに、前記ノズルの側方にカムフォロアを突設する一方、前記キャップ兼用操作ボタンの前記固定アーム部にこのカムフォロアに当接して押圧操作で噴射させる押圧カムを形成して構成しており、プッシュダウンバルブの場合に、ノズルの側方に突設したカムフォロアに、キャップ兼用操作ボタンの押圧カムを当接することで、キャップ兼用操作ボタンの押圧操作で噴射させることができるようになる。
【００１５】
また、この発明の請求項４記載のエアゾール容器のキャップ兼用アクチュエータは、傾動させて噴射させるチルトバルブを備えたステムに嵌合され内容物の噴射口を上部に備えるノズルと、エアゾール容器に嵌合され上端部に前記噴射口から噴射される内容物用の開口部を備えるとともに、前方開口部を備えて前記ノズルの外側を囲むワンタッチキャップと、このワンタッチキャップに取り付けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、
前記ワンタッチキャップは、前記開口部の前方から下方に垂下して下端が水平なＬ字状に一体に形成されるとともに、Ｌ字状の角部に開口部が形成された弾性支持部と、この弾性支持部に一体に形成され水平に突き出して対向する回動保持部とを備え、
前記キャップ兼用操作ボタンは、前記ワンタッチキャップの前記回動保持部に挟まれて回動可能に保持される保持部と、この保持部の手前にアーム部を介して一体に形成される押圧ボタンと、前記保持部の奥側に一体に形成され前記弾性支持部の前記開口部から突き出して当該弾性支持部の弾性変形と協動して前記ノズルのチルト操作を行う操作部とからなり、前記ノズルと前記ワンタッチキャップと前記キャップ兼用操作ボタンの３部品で構成したことを特徴とするものである。
【００１６】
このエアゾール容器のキャップ兼用アクチュエータによれば、傾動させて噴射させるチルトバルブを備えたステムに嵌合され内容物の噴射口を上部に備えるノズルと、エアゾール容器に嵌合され上端部に前記噴射口から噴射される内容物用の開口部を備えるとともに、前方開口部を備えて前記ノズルの外側を囲むワンタッチキャップと、このワンタッチキャップに取り付けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、前記ワンタッチキャップは、前記開口部の前方から下方に垂下して下端が水平なＬ字状に一体に形成されるとともに、Ｌ字状の角部に開口部が形成された弾性支持部と、この弾性支持部に一体に形成され水平に突き出して対向する回動保持部とを備え、前記キャップ兼用操作ボタンは、前記ワンタッチキャップの前記回動保持部に挟まれて回動可能に保持される保持部と、この保持部の手前にアーム部を介して一体に形成される押圧ボタンと、前記保持部の奥側に一体に形成され前記弾性支持部の前記開口部から突き出して当該弾性支持部の弾性変形と協動して前記ノズルのチルト操作を行う操作部とからなり、前記ノズルと前記ワンタッチキャップと前記キャップ兼用操作ボタンの３部品で構成しており、ワンタッチキャップに設けたキャップ兼用操作ボタンでノズル上部の開口部を覆うことで誤使用を防止でき、このキャップ兼用操作ボタンをノズルの側方に回動して押すことでノズルを介して噴射することができる。また、ノズルと、ワンタッチキャップと、キャップ兼用操作ボタンとで構成することで部品点数を削減しコスト低減を図ることができる。さらに、弾性支持部と一体の回動保持部で保持されたキャップ兼用操作ボタンを回動させることで、弾性支持部の弾性変形と協動してノズルのチルト操作を行うことができるようになる。
【００１７】
さらに、この発明の請求項５記載のエアゾール容器のキャップ兼用アクチュエータは、請求項４記載の構成に加え、前記ノズルが嵌合される前記ステムに、押し込んで噴射させるプッシュダウンバルブを設ける一方、このステムに嵌合される前記ノズルに、傾けて前記プッシュダウンバルブを開閉する傾動支持部を形成して前記エアゾール容器に支持し、前記キャップ兼用操作ボタンで前記ノズルを押圧操作して噴射させることを特徴とするものである。
【００１８】
このエアゾール容器のキャップ兼用アクチュエータによれば、前記ノズルが嵌合される前記ステムに、押し込んで噴射させるプッシュダウンバルブを設ける一方、このステムに嵌合される前記ノズルに、傾けて前記プッシュダウンバルブを開閉する傾動支持部を形成して前記エアゾール容器に支持し、前記キャップ兼用操作ボタンで前記ノズルを押圧操作して噴射させるようにしており、プッシュダウンバルブの場合に、ノズルを傾動支持部を介してエアゾール容器に支持し、このノズルをキャップ兼用操作ボタンで押圧操作して傾けることで噴射させることができるようになる。
【００１９】
また、この発明の請求項６記載のエアゾール容器のキャップ兼用アクチュエータは、請求項１〜５のいずれかに記載の構成に加え、前記キャップ兼用操作ボタンを押圧操作で噴射させる噴射使用位置に保持する係止保持部を前記ワンタッチキャップに形成したことを特徴とするものである。
【００２０】
このエアゾール容器のキャップ兼用アクチュエータによれば、前記キャップ兼用操作ボタンを押圧操作で噴射させる噴射使用位置に保持する係止保持部を前記ワンタッチキャップに形成しており、係止保持部に係止することで噴射使用状態を保持できるようになり、特にキャップ兼用操作ボタンをワンタッチキャップと一体成形した場合には、材料の弾性などで元の状態や中間位置に戻ろうとすることを防止できるようになる。
【００２５】
【発明の実施の形態】
以下、この発明のエアゾール容器のキャップ兼用アクチュエータの実施の形態について図面に基づき詳細に説明する。
図１〜図５はこの発明のエアゾール容器のキャップ兼用アクチュエータの一実施の形態にかかリ、図１はそれぞれ使用前の誤使用防止状態の概略斜視図、図２は使用前の誤使用防止状態の断面図、正面図、底面図、図３はそれぞれ噴射使用状態の概略斜視図、図４は噴射使用状態の断面図、正面図、図５は噴射状態の断面図である。
【００２６】
このエアゾール容器のキャップ兼用アクチュエータ１０は、エアゾール容器１からキャップを外すこと無くそのままステム２に嵌合連結されたノズル２０と、このノズル２０を操作することで噴射させることができるワンタッチキャップ４０とを備えて構成されており、ワンタッチキャップ４０と一体に形成したキャップ兼用操作ボタン５０を回動操作することで、誤使用を防止するとともに、噴射使用することもできるようにしたものである。
【００２７】
このエアゾール容器のキャップ兼用アクチュエータ１０では、エアゾール容器１のバルブとして、例えばチルトバルブが備えられ、ステム２を横方向に傾けることでバルブを開閉することができるようになっており、ステム２に嵌合されるノズル２０には、上部にわずかに傾けた噴射口２１が形成され、内容物を上方に噴射するようになっている。
【００２８】
このノズル２０は、図２および図４に示すように、略円筒状の中心部に噴射流路２２が形成され、噴射流路２２の下端部のステム嵌合孔２３をステム２に嵌合して連結することで、噴射流路２２の上端の噴射口２１と連通され、内容物を噴射できるようになっており、中間部より下方の側壁部２４は２重円筒状とすることで軽量化が図ってある。
【００２９】
このノズル２０を横方向に傾けて開閉操作するため、ノズル２０の側壁部２４の下端部後方に垂直な板状の突出部２５を介してこの突出部２５と直交する側壁部２４とほぼ平行な板状の引込み部２６が一体に形成してあり、この引込み部２６を引き込んで後方に傾けることができるようになっている。
【００３０】
なお、このノズル２０では、引込み部２６を介して後方に傾けて噴射状態としたときにノズル２０の噴射口２１がほぼ垂直となって上方に噴射できるように噴射口２１が前方にわずかに傾けてある。
【００３１】
このようなノズル２０の外側を囲んでエアゾール容器１にワンタッチキャップ４０が嵌合され、取り外すこと無くノズル２０から内容物を噴射できるようにしてある。
【００３２】
このワンタッチキャップ４０は、略円筒状に形成され、側壁部４１の下端周縁部がエアゾール容器１のマウンテンカップ３の外側に係止されて取り付けられるようになっており、確実に取り付けることができるように内周に沿って係止突起４２が形成してある。このワンタッチキャップ４０の上端部には、ノズル２０から噴射される内容物を噴射させる開口部４３が形成され、この開口部４３と連続して側壁部４１の前方に前方開口部４４がステム２の上端部近傍の中間部まで形成してあり、開口部４３と前方開口部４４の左右両側が内側壁４５で塞がれ、円筒状の側壁部４１とで二重になっている。
【００３３】
また、ワンタッチキャップ４０の前方開口部４４の内側には、固定内壁部４６が一体に形成され、ノズル２０の前方に位置し、ノズル２０の下端部から上端部近傍までを覆うようになっている。
【００３４】
したがって、ステム２に取り付けられたノズル２０はワンタッチキャップ４０で周囲３方（左右および後方）が囲まれるとともに、前方が前方開口部４４の内側の固定内壁部４６で囲まれ、周囲全体が囲まれた状態になっている。
【００３５】
このようなワンタッチキャップ４０の上部の開口部４３を塞いで誤使用や誤作動を防止するため、キャップ兼用操作ボタン５０が一体に設けてあり、使用前や使用後の誤使用防止状態では、開口部４３を塞ぐことができ、噴射使用時にはノズル２０を傾けて噴射させる操作ボタンとして機能させる。
【００３６】
このキャップ兼用操作ボタン５０は、ワンタッチキャップ４０の開口部４３の後方縁から下方に垂下して一体に形成された弾性支持部５１を備えており、この弾性支持部５１がステム２に嵌合されたノズル２０の突出部２５および引込み部２６の下端まで位置するように形成してある。そして、この弾性支持部５１の下端部に下方に開口した連結溝５２が形成してあり、ノズル２０の突出部２５に上方から被せるように連結され、弾性支持部５１の外側面が引込み部２６の内側面と当接するようになっている。
【００３７】
また、このキャップ兼用操作ボタン５０では、弾性支持部５１の下端部両側から前方に突き出してほぼ水平に固定アーム部５３が一体に形成され、先端部がほぼノズル２０の中心部に位置するようになっている。そして、これら固定アーム部５３のそれぞれの先端上部に一体に薄肉ヒンジ部５４が設けられ、この薄肉ヒンジ部５４を介して上方に伸びる回動アーム部５５が一体に形成されて上端部がノズル２０の上方に位置し、両側の回動アーム５５を連結してノズル２０の上部を塞ぐように板状の押圧ボタン５６が一体に形成してあり、押圧ボタン５６の上面がワンタッチキャップ４０の上面と同一平面となる誤使用防止位置となるようにしてある。
【００３８】
この押圧ボタン５６で連結された回動アーム部５５は、図１および図２に示すように、成形時には、薄肉ヒンジ部５４を介して一体に形成されてワンタッチキャップ４０の上部の開口部４３を塞ぐ垂直な誤使用防止位置となり、図３および図４に示すように、薄肉ヒンジ部５４で折り曲げるようにして水平な噴射使用位置まで回動することで、ワンタッチキャップ４０の前方開口部４４から突き出すように位置するとともに、固定内壁部４６の前方に押圧ボタン５６が位置するようになり、固定アーム部５３と回動アーム部５５が直線状になって１本のアームのように押圧操作することができる。
【００３９】
このように水平な噴射使用位置に回動された回動アーム部５５が薄肉ヒンジ部５４の弾性力で回動中間位置に戻らないようにするため、ワンタッチキャップ４０の前方開口部４４の左右の内側壁４５に突き出した係止保持部５７が形成してあり、回動アーム部５５を乗り越えるようにして水平な噴射使用位置に保持したり、元の垂直な誤使用防止位置に戻すことができるようにしてある。
【００４０】
なお、回動アーム部５５を垂直な誤使用防止位置にして押圧ボタン５６でノズル２０の上部を塞ぐ状態を保持するため、押圧ボタン５６と弾性支持部５１との間などに保持係止機構を設けるようにしても良い。
【００４１】
次に、このように構成したエアゾール容器のキャップ兼用アクチュエータ１０の誤使用防止状態および噴射使用状態について説明する。
【００４２】
まず、未使用状態や一旦使用した後誤噴射を防止する誤使用防止状態では、図１および図２に示すように、キャップ兼用操作ボタン５０の回動アーム部５５を固定アーム部５３に対して垂直に位置させて押圧ボタン５６でノズル２０の上方のワンタッチキャップ４０の開口部４３を塞ぐようにする。
【００４３】
このキャップ兼用操作ボタン５０の誤使用防止位置では、ノズル２０の周囲３方（左右および後方）がワンタッチキャップ４０で囲まれるとともに、前方が前方開口部４４の内側の固定内壁部４６で囲まれ、周囲全体がワンタッチキャップ４０で囲まれた状態になり、上部の開口部４３も押圧ボタン５６で塞がれた状態となってノズル２０が外側から操作出来ない状態となる。
【００４４】
また、この状態では、押圧ボタン５６を押し下げようとしても固定アーム部５３と一体の弾性支持部５１は上下方向にほぼ剛体として機能して弾性変形しないので撓むことがなく、押圧ボタン５６を操作することができず、特に未使用状態では、薄肉ヒンジ部５４が成形時の剛性を保持しているので一層押圧ボタン５６の操作が簡単にはできない。
【００４５】
これにより、ノズル２０を押すなどしてステム２を横に傾けることが出来ず、誤使用や誤作動を防止することができる。
【００４６】
一方、エアゾール容器１の内容物を噴射させて使用する場合には、図３および図４に示すように、垂直状態の回動アーム部５５を押圧ボタン５６を押すようにして薄肉ヒンジ部５４を中心に折り曲げるようにし、係止保持部５７を乗り越えさせて水平まで回動させ、押圧ボタン５６をワンタッチキャップ４０の前方に突き出すように位置させる。この回動アーム部５５の回動は、未使用状態から最初に使用する場合には、薄肉ヒンジ部５４が成形時の剛性を保持しているので、薄肉ヒンジ部５４を中心に折り曲げるように大きな力を加えて回動するようにすれば良く、回動後の回動アーム部５５の水平状態は係止保持部５７によって保持することができる。
【００４７】
すると、このキャップ兼用操作ボタン５０の噴射使用位置では、固定アーム部５３と回動アーム部５５が端面で当接して直線状となり、押圧ボタン５６を押すことで回動アーム部５５を介して固定アーム部５３が押され、図５に示すように、これによって弾性支持部５１が上端縁を中心に撓むことになり、弾性支持部５１の連結溝５２と当接して係合しているノズル２０の引込み部２６が後方に引かれ、ノズル２０が傾けられてエアゾール容器１の内容物がステム２、噴射流路２２を介して噴射口２１から上方に噴射される。
【００４８】
こうして内容物を噴射した後、再び誤使用を防止する必要がある場合には、回動アーム部５５を薄肉ヒンジ部５４を中心に回動し、係止保持部５７を乗り越えてほぼ垂直状態にする。
【００４９】
このようなエアゾール容器のキャップ兼用アクチュエータ１０によれば、ノズル２０とワンタッチキャップ４０の２つの部品だけで、未使用状態や誤使用を防止する保管状態では、キャップ兼用操作ボタン５０でワンタッチキャップ４０の開口部４３を覆うことでノズル２０の操作ができないようにすることができ、噴射使用する場合には、キャップ兼用操作ボタン５０を回動させて押すことで簡単に噴射することができる。
【００５０】
これにより、エアゾール容器のキャップ兼用アクチュエータ１０の部品点数を削減できるとともに、コスト低減を図ることができる。
【００５１】
また、使用後、再び誤使用防止状態にする場合にも、別に用意したストッパなどを挿入する必要もなく、回動するだけで簡単に誤使用を防止できる。
【００５２】
次に、この発明のエアゾール容器のキャップ兼用アクチュエータの他の一実施の形態について、図６により説明するが、既に説明した上記実施の形態と同一部分には同一記号を記し説明は省略する。
【００５３】
このエアゾール容器のキャップ兼用アクチュエータ１１では、エアゾール容器１のバルブとして、チルトバルブに替えてプッシュダウンバルブが備えられ、ステム２を押し下げることでバルブを開閉することができるようになっており、ステム２に嵌合されるノズル３０には、上部に噴射口３１が形成され、内容物を上方に噴射するようになっている。
【００５４】
このノズル２０には、押し下げて開閉操作するため、ノズル３０の側壁部３２の下端部の中心両側に突出したカムフォロア３３が一体に形成してある。
【００５５】
一方、キャップ兼用操作ボタン５０の固定アーム部５３には、奥側から手前側に突き出す傾斜面で構成された押圧カム５８が一体に形成してあり、この押圧カム５８を水平に押し込むことで傾斜面を介してノズル３０のカムフォロア３３を押し下げることができるようにしてある。
【００５６】
これにより、カムフォロア３３が押し下げられると、一体のノズル３０も押し下げられ、エアゾール容器１の内容物を噴射させることができる。
【００５７】
なお、このエアゾール容器のキャップ兼用アクチュエータ１１は、ステム２にプッシュダウンバルブを用い、これを押圧カム５８とカムフォロア３３によって横に押す押圧ボタン５６の動きをノズル３０を押し下げる動きに変換して噴射する構成以外は、既に説明した実施の形態と同一である。
【００５８】
したがって、このエアゾール容器のキャップ兼用アクチュエータ１１によれば、プッシュダウンバルブを用いる場合でも部品点数を削減するとともに、コスト低減を図り、キャップ兼用操作ボタン５０で誤使用防止位置と噴射使用位置に簡単にすることができる。
【００５９】
次に、この発明のエアゾール容器のキャップ兼用アクチュエータのさらに他の一実施の形態について、図７および図８により説明するが、既に説明した上記実施の形態と同一部分には同一記号を記し説明は省略する。
【００６０】
このエアゾール容器のキャップ兼用アクチュエータ１２では、エアゾール容器１のバルブとしてはチルトバルブが備えられ、ステム２を傾けることでバルブを開閉することができるようになっており、このステム２には、図１〜図５の実施の形態と同様のノズル２０で、後方の突出部と引込み部がない単純形状のものが嵌合され、ノズル２０を前方から押圧操作することでチルトバルブを開閉し、噴射口２１から内容物を上方に噴射するようになっている。
【００６１】
このようなノズル２０の外側を囲んでエアゾール容器１に取付けられるワンタッチキャップ６０は、略円筒状に形成され、側壁部６１の下端周縁部がエアゾール容器１のマウンテンカップ３の外側に係止されて取り付けられるようになっており、確実に取り付けることができるように内周に沿って係止突起６２が形成してある。このワンタッチキャップ６０の上端部には、ノズル２０から噴射される内容物を噴射させる開口部６３が中心部に形成され、この開口部６３の前方に前方開口部６４がノズル２０の中間部近傍まで形成してあり、この前方開口部６４の左右両側が内側壁６５で塞がれている。
【００６２】
そして、このワンタッチキャップ６０の前方開口部６４の後方縁から下方に垂下してＬ字状の弾性支持部６６が一体に形成されてノズル２０の前方に位置するようにしてあり、この弾性支持部６６は上端部を中心に弾性変形させて傾けることができるようになっている。
【００６３】
この弾性支持部６６の中間下部両側には、前方に突き出して突出部６７が形成されて水平に突き出す下端部と対向しており、これらの対向面内側にキャップ兼用操作ボタン７０の水平軸回りの回動と回動位置を保持する回動保持部６８が突き出して一体に形成してある。
【００６４】
また、この弾性支持部６６の下端隅部には、キャップ兼用操作ボタン７０で押圧操作するための開口部６９がＬ字状に形成してある。
【００６５】
このようなワンタッチキャップ６０の上部の開口部６３を塞いで誤使用や誤作動を防止するため回動保持部６８に取付けられるキャップ兼用操作ボタン７０は、ワンタッチキャップ６０や弾性支持部６６とは別に成形され、回動保持部６８に挾まれて保持される略円柱状の保持部７１を備え、手前側にアーム部７２を介して押圧ボタン７３が一体に成形され、アーム部７２を回動して上向きにしたときに押圧ボタン７３で開口部６３を塞ぐことができるようにしてある。
【００６６】
また、キャップ兼用操作ボタン７０には、保持部７１から奥側に突き出して操作部７４が形成してあり、弾性支持部６６の開口部６９内を回動し、噴射使用位置のとき水平に突き出すようになり、誤使用防止位置のとき垂直下方に突き出すように移動する。
【００６７】
このように構成したエアゾール容器のキャップ兼用アクチュエータ１２では、使用前や一旦使用した後誤噴射を防止する誤使用防止状態では、図７（ｂ）および図８（ｂ）に示すように、キャップ兼用操作ボタン７０のアーム部７２をほぼ垂直に位置させて押圧ボタン７３でノズル２０の上方のワンタッチキャップ６０の開口部６３を塞ぐようにする。このキャップ兼用操作ボタン７０では、回動後回動保持部６８によってほぼ垂直状態が保持される。
【００６８】
すると、このキャップ兼用操作ボタン７０の誤使用防止位置では、ノズル２０の周囲がワンタッチキャップ６０で囲まれるとともに、開口部６３が押圧ボタン７３で塞がれた状態となってノズル２０が外側から操作出来ない状態となり、ノズル２０を押すなどしてステム２を横に傾けることが出来ず、誤使用や誤作動を防止することができる。
【００６９】
一方、エアゾール容器１の内容物を噴射させて使用する場合には、図７（ａ）および図８（ａ）に示すように、ほぼ垂直状態のアーム部７２を水平まで回動させ、押圧ボタン７３をワンタッチキャップ６０の前方に突き出すように位置させる。このキャップ兼用操作ボタン７０では、回動後回動保持部６８によって水平状態が保持される。
【００７０】
すると、このキャップ兼用操作ボタン７０の噴射使用位置では、操作部７４がノズル２０の前方に突き出した状態となり、押圧ボタン７３を押すことで、図８（ｃ）に示すように、弾性支持部６６が上端縁を中心に撓むことになり、ノズル２０が前方に押されて傾けられてエアゾール容器１の内容物がステム２、噴射流路２２を介して噴射口２１から上方に噴射される。
【００７１】
こうして内容物を噴射した後、再び誤使用を防止する必要がある場合には、アーム部７２をほぼ垂直にするよう回動し、回動保持部６８を乗り越えてほぼ垂直状態にし、回動保持部６８で保持する。
【００７２】
このようなエアゾール容器のキャップ兼用アクチュエータ１２によれば、ノズル２０とワンタッチキャップ６０とキャップ兼用操作ボタン７０の３つの部品で構成することで、部品形状を単純にでき、それぞれの成形が一層容易となるとともに、上記実施の形態と同様に、使用前や誤使用を防止する保管状態では、キャップ兼用操作ボタン７０でワンタッチキャップ６０の開口部６３を覆うことでノズル２０の操作ができないようにすることができ、噴射使用する場合には、キャップ兼用操作ボタン７０を回動させて押すことで簡単に噴射することができる。
【００７３】
次に、この発明のエアゾール容器のキャップ兼用アクチュエータの他の一実施の形態について、図９により説明するが、既に図７および図８で説明した上記実施の形態と同一部分には同一記号を記し説明は省略する。
【００７４】
このエアゾール容器のキャップ兼用アクチュエータ１３では、エアゾール容器１のバルブとして、チルトバルブに替えてプッシュダウンバルブが備えられ、ステム２を押し下げることでバルブを開閉することができるようになっており、ステム２に嵌合されるノズル８０には、上部に噴射口８１が形成され、内容物を上方に噴射するようになっている。
【００７５】
このノズル８０には、傾けることで押し下げるようにして開閉操作するため、図９（ｄ）に示すように、ノズル８０の下端部に円板状のヒンジ板８２が一体に形成され、その外周の一部のヒンジ部８３が円筒状のヒンジ本体８４と一体に形成され、ヒンジ本体８４をエアゾール容器１に支持すること（図示例では、マウンテンカップ３に取り付けてある）でヒンジ部８３を中心にヒンジ板８２を傾けてノズル８０を押し下げることができるようにしてある。
【００７６】
なお、このエアゾール容器のキャップ兼用アクチュエータ１３は、ステム２にプッシュダウンバルブを用い、これをヒンジ板８２などのヒンジ機構によって前方に押す押圧ボタン７３の動きをノズル８０を押し下げる動きに変換して噴射する構成以外は、既に図７および図８で説明した上記実施の形態と同一である。
【００７７】
したがって、このエアゾール容器のキャップ兼用アクチュエータ１３によれば、プッシュダウンバルブを用いる場合でも３つの部品で構成でき、それぞれの部品を単純な形状として成形を容易としてコスト低減を図り、キャップ兼用操作ボタン７０で誤使用防止位置と噴射使用位置に簡単にすることができる。
【００７８】
なお、上記各実施の形態では、エアゾール容器の内容物については、特に説明しなかったが、エアゾール製品として用いられているものであれば、いずれでも良く、特にノズルから上方（エアゾール容器のステムの軸方向に沿う方向の意であり、傾けてたり逆さまにして使用する場合には、傾けた方向や逆さまにした方向）に噴射させて使用する製品に好適である。
【００７９】
【発明の効果】
以上、実施の形態とともに具体的に説明したように、この発明の請求項１記載のエアゾール容器のキャップ兼用アクチュエータによれば、傾動させて噴射させるチルトバルブを備えたステムに嵌合され内容物の噴射口を上部に備えるノズルと、エアゾール容器に嵌合され上端部に前記噴射口から噴射される内容物用の開口部を備えるとともに、前方開口部に固定内壁部を備えて前記ノズルの外側を囲むワンタッチキャップと、このワンタッチキャップに一体に設けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、このキャップ兼用操作ボタンは、前記ワンタッチキャップの前記開口部の後方から下方に垂下して一体に形成された弾性支持部と、この弾性支持部の下端に水平に一体に形成された固定アーム部と、この固定アーム部と薄肉ヒンジ部を介して垂直に一体に形成され外側部に押圧ボタンを備え噴射使用位置に回動して前記固定内壁部の前方に位置させ前記弾性支持部の弾性変形と協動して前記ノズルのチルト操作を行う回動アーム部とからなり、前記ノズルと前記ワンタッチキャップとの２部品で構成したので、ワンタッチキャップに設けたキャップ兼用操作ボタンでノズル上部の開口部を覆うことで誤使用を防止でき、このキャップ兼用操作ボタンをノズルの側方に回動して押すことでノズルを介して噴射することができる。また、ワンタッチキャップと弾性支持部とキャップ兼用操作ボタンとを一体に形成したので、部品点数を削減しコスト低減を図ることができる。さらに、弾性支持部と一体の固定アーム部に対して回動アーム部を薄肉ヒンジ部を介して回動させることで、固定アーム部に直角に位置させた回動アーム部の押圧ボタンで覆って誤使用を防止することができ、固定アーム部と直線状に回動アーム部を位置させて弾性支持部を撓ませることで押圧して噴射することができる。
【００８０】
また、この発明の請求項２記載のエアゾール容器のキャップ兼用アクチュエータによれば、前記ノズルの下端部後方に引込み部を一体に形成するとともに、前記キャップ兼用操作ボタンの前記弾性支持部の下端にこの引込み部と係合して押圧操作で噴射させる係合部を形成して構成したので、ノズルの下端部後方の引込み部にキャップ兼用操作ボタンの係合部を係合することで、キャップ兼用操作ボタンの押圧操作で噴射させることができる。
【００８１】
さらに、この発明の請求項３記載のエアゾール容器のキャップ兼用アクチュエータによれば、前記ノズルが嵌合される前記ステムに、押し込んで噴射させるプッシュダウンバルブを設けるとともに、前記ノズルの側方にカムフォロアを突設する一方、前記キャップ兼用操作ボタンの前記固定アーム部にこのカムフォロアに当接して押圧操作で噴射させる押圧カムを形成して構成したので、プッシュダウンバルブの場合に、ノズルの側方に突設したカムフォロアに、キャップ兼用操作ボタンの押圧カムを当接することで、キャップ兼用操作ボタンの押圧操作で噴射させることができる。
【００８２】
また、この発明の請求項４記載のエアゾール容器のキャップ兼用アクチュエータによれば、傾動させて噴射させるチルトバルブを備えたステムに嵌合され内容物の噴射口を上部に備えるノズルと、エアゾール容器に嵌合され上端部に前記噴射口から噴射される内容物用の開口部を備えるとともに、前方開口部を備えて前記ノズルの外側を囲むワンタッチキャップと、このワンタッチキャップに取り付けられ前記ノズルの噴射口の上方の前記開口部を覆って誤使用を防止する誤使用防止位置および前記ノズル側方の前記前方開口部に回動されて押圧することで前記ノズルをチルト操作して前記内容物を噴射する噴射使用位置の間を回動可能なキャップ兼用操作ボタンと備え、前記ワンタッチキャップは、前記開口部の前方から下方に垂下して下端が水平なＬ字状に一体に形成されるとともに、Ｌ字状の角部に開口部が形成された弾性支持部と、この弾性支持部に一体に形成され水平に突き出して対向する回動保持部とを備え、前記キャップ兼用操作ボタンは、前記ワンタッチキャップの前記回動保持部に挟まれて回動可能に保持される保持部と、この保持部の手前にアーム部を介して一体に形成される押圧ボタンと、前記保持部の奥側に一体に形成され前記弾性支持部の前記開口部から突き出して当該弾性支持部の弾性変形と協動して前記ノズルのチルト操作を行う操作部とからなり、前記ノズルと前記ワンタッチキャップと前記キャップ兼用操作ボタンの３部品で構成したので、ワンタッチキャップに設けたキャップ兼用操作ボタンでノズル上部の開口部を覆うことで誤使用を防止でき、このキャップ兼用操作ボタンをノズルの側方に回動して押すことでノズルを介して噴射することができる。また、ノズルと、ワンタッチキャップと、キャップ兼用操作ボタンとで構成することで部品点数を削減しコスト低減を図ることができる。さらに、弾性支持部と一体の回動保持部で保持されたキャップ兼用操作ボタンを回動させることで、弾性支持部の弾性変形と協動してノズルのチルト操作を行うことができる。
【００８３】
さらに、この発明の請求項５記載のエアゾール容器のキャップ兼用アクチュエータによれば、前記ノズルが嵌合される前記ステムに、押し込んで噴射させるプッシュダウンバルブを設ける一方、このステムに嵌合される前記ノズルに、傾けて前記プッシュダウンバルブを開閉する傾動支持部を形成して前記エアゾール容器に支持し、前記キャップ兼用操作ボタンで前記ノズルを押圧操作して噴射させるようにしたので、プッシュダウンバルブの場合に、ノズルを傾動支持部を介してエアゾール容器に支持し、このノズルをキャップ兼用操作ボタンで押圧操作して傾けることで噴射させることができる。
【００８４】
また、この発明の請求項６記載のエアゾール容器のキャップ兼用アクチュエータによれば、前記キャップ兼用操作ボタンを押圧操作で噴射させる噴射使用位置に保持する係止保持部を前記ワンタッチキャップに形成したので、係止保持部に係止することで噴射使用状態を保持でき、特にキャップ兼用操作ボタンをワンタッチキャップと一体成形した場合には、材料の弾性などで元の状態や中間位置に戻ろうとすることを防止することができる。
【図面の簡単な説明】
【図１】この発明のエアゾール容器のキャップ兼用アクチュエータの一実施の形態にかかるそれぞれ使用前の誤使用防止状態の概略斜視図である。
【図２】この発明のエアゾール容器のキャップ兼用アクチュエータの一実施の形態にかかる使用前の誤使用防止状態の断面図、正面図、底面図である。
【図３】この発明のエアゾール容器のキャップ兼用アクチュエータの一実施の形態にかかるそれぞれ噴射使用状態の概略斜視図である。
【図４】この発明のエアゾール容器のキャップ兼用アクチュエータの一実施の形態にかかる噴射使用状態の断面図、正面図である。
【図５】この発明のエアゾール容器のキャップ兼用アクチュエータの一実施の形態にかかる噴射状態の断面図である。
【図６】この発明のエアゾール容器のキャップ兼用アクチュエータの他の一実施の形態にかかる使用前の誤使用防止状態の概略斜視図および噴射使用状態の概略斜視図である。
【図７】この発明のエアゾール容器のキャップ兼用アクチュエータのさらに他の一実施の形態にかかる噴射使用状態の概略斜視図および使用前の誤使用防止状態の概略斜視図である。
【図８】この発明のエアゾール容器のキャップ兼用アクチュエータのさらに他の一実施の形態にかかる噴射使用状態の断面図、使用前の誤使用防止状態の断面図および噴射状態の断面図である。
【図９】この発明のエアゾール容器のキャップ兼用アクチュエータの他の一実施の形態にかかる噴射使用状態の断面図、使用前の誤使用防止状態の断面図、噴射状態の断面図およびノズルの部分斜視図である。
【符号の説明】
１  エアゾール容器
２  ステム
３  マウンテンカップ
１０  エアゾール容器のキャップ兼用アクチュエータ
２０  ノズル
２１  噴射口
２２  噴射流路
２３  ステム嵌合孔
２４  側壁部
２５  突出部
２６  引込み部
３０  ノズル
３１  噴射口
３２  側壁部
３３  カムフォロア
４０  ワンタッチキャップ
４１  側壁部
４２  係止用突起
４３  開口部
４４  前方開口部
４５  内側壁
４６  固定内壁部
５０  キャップ兼用操作ボタン
５１  弾性支持部
５２  連結溝
５３  固定アーム部
５４  薄肉ヒンジ部
５５  回動アーム部
５６  押圧ボタン
５７  係止保持部
５８  押圧カム
６０  ワンタッチキャップ
６３  開口部
６４  前方開口部
６６  弾性支持部
６８  回動保持部
６９  開口部
７０  キャップ兼用操作ボタン
７１  保持部
７２  アーム部
７３  押圧ボタン
７４  操作部
８０  ノズル
８２  ヒンジ板
８３  ヒンジ部
８４  ヒンジ本体
【図１】
0003905391.tif 000002
【図２】
0003905391.tif 000003
【図３】
0003905391.tif 000004
【図４】
0003905391.tif 000005
【図５】
0003905391.tif 000006
【図６】
0003905391.tif 000007
【図７】
0003905391.tif 000008
【図８】
0003905391.tif 000009
【図９】
0003905391.tif 000010